(57)【要約】      （修正有）【課題】各インク色に対応するノズルを駆動回路からの熱の影響が目立ちにくくなるように配列して、高品質の記録を行うことができるインクジェット記録装置を提供すること。【解決手段】２つの記録ヘッド７ａ，７ｂには、４色のインク色に対応するノズルの内、濃いインク色となるブラックインク用のノズル１６ｋ１，１６ｋ２がＩＣチップ３３ａ，３３ｂから最も離れた位置に配列され、淡いインク色となるイエローインク用のノズル１６ｙ１，１６ｙ２が最も近い位置に配列されている。よって、ＩＣチップ３３ａ，３３ｂからの熱の影響でイエローインクの記録が乱れても目立ちにくく、ブラックインク用のノズル１６ｋ１，１６ｋ２はその熱の影響が小さいので、ブラックインクの記録の乱れを少なくして高品質の記録を行うことができる。【選択図】図３
2005193579.tif 000002
【特許請求の範囲】
【請求項１】
記録媒体に複数色のインクを吐出して記録を行うためにインク色毎に第１の方向に列状に配列された複数のノズルを有する少なくとも１個の記録ヘッドを備えるインクジェット記録装置において、
前記記録ヘッドから前記第１の方向に直交する第２の方向に延びる可撓性を有する少なくとも１個の配線部材と、
その配線部材上に配設され、前記ノズルからインクを吐出させる駆動信号を出力する少なくとも１個の駆動回路とを備え、
前記記録ヘッドのノズルの配列は、複数のインク色の内、濃いインク色に対応するノズル列が淡いインク色に対応するノズル列よりも前記駆動回路から離れた位置にあることを特徴とするインクジェット記録装置。
【請求項２】
前記記録ヘッドのノズル列の配列は、複数のインク色の内、淡いインク色に対応するノズル列が前記駆動回路に近い位置にあることを特徴とする請求項１に記載のインクジェット記録装置。
【請求項３】
前記記録ヘッドのノズル列の配列は、複数のインク色の内、濃いインク色に対応するノズル列ほど前記駆動回路より離れた位置にあり、淡いインク色に対応するノズル列ほど前記駆動回路に近い位置にあることを特徴とする請求項１又は２に記載のインクジェット記録装置。
【請求項４】
前記複数のインク色の内、インク色の濃淡が略同等となるインク色に対応するノズル列は、インクの吐出頻度が高いインク色に対応するノズル列が前記駆動回路より離れた位置に配列されていることを特徴とする請求項１から３のいずれかに記載のインクジェット記録装置。
【請求項５】
前記濃いインク色に対応するノズル数は、他の各インク色に対応するノズル数よりも多いことを特徴とする請求項１から４のいずれかに記載のインクジェット記録装置。
【請求項６】
記録媒体に複数色のインクを吐出するノズルを各インク色毎に群をなして配列した記録ヘッドと、
前記記録ヘッドから、少なくとも２のインク色に対応する前記ノズル群の配列方向に延びる配線部材と、
前記配線部材上に配設され、前記ノズルからインクを吐出させる駆動信号を出力する駆動回路とを備え、
前記駆動回路は、前記２のインク色に対応する前記ノズル群の内、淡いインク色に対応するノズル群よりも濃いインク色に対応するノズル群に対して離れて配設されていることを特徴とするインクジェット記録装置。
【請求項７】
前記駆動回路と一部分が接触して配設され、その駆動回路が発する熱を熱伝導可能に構成されたヒートシンクを備えていることを特徴とする請求項１から６のいずれかに記載のインクジェット記録装置。
【請求項８】
前記記録ヘッドは、前記第２の方向に並んで２個備えられており、
前記配線部材は、前記各記録ヘッドから互いに反対方向であって且つ前記第２の方向に延びて２個備えられ、
前記駆動回路は、前記記録ヘッドの配列方向両側に配設され、また、前記濃いインク色に対応するノズル列が両記録ヘッドの互いに隣接する側縁寄りに配設されていることを特徴とする請求項１から７のいずれかに記載のインクジェット記録装置。
【請求項９】
前記複数のインク色の内、濃いインク色とはブラックインクであることを特徴とする請求項１から８のいずれかに記載のインクジェット記録装置。
【発明の詳細な説明】
【技術分野】
【０００１】
本発明は、インクジェット記録装置に関し、特に、複数色のインクを吐出するノズルの配列を、駆動回路からの熱の影響が目立ちにくいようにしたインクジェット記録装置に関するものである。
【背景技術】
【０００２】
特開２００２−２４０３０６号公報（特許文献１）及び特開２００３−８０７９３号公報（特許文献２）に開示されているように、記録ヘッドよりインクを吐出して記録媒体に記録を行うインクジェット記録装置が知られている。記録ヘッドは、列状に配列された複数のノズルと、複数の圧力室を有し略長方形の積層構造で形成されるキャビティプレートと、そのキャビティプレートに接着して積層される圧電アクチュエータプレートとにより構成されている。圧電アクチュエータプレートの上には、その圧電アクチュエータプレートに備えられる各圧電アクチュエータと電気的に接続されるフレキシブル配線基板（配線部材）が重ねて積層され、そのフレキシブル配線基板上には、ノズルからインクを吐出するための駆動信号を出力するＩＣチップ（駆動回路）が配置されている。
【０００３】
また、記録ヘッドは２つに分割され、その２個の記録ヘッドそれぞれにフレキシブル配線基板が接続され、ＩＣチップはそれぞれのフレキシブル配線基板上に配置されている。２つのフレキシブル配線基板は、列状に配列されたノズルの配列方向で且つ同方向に延びている。
【特許文献１】特開２００２−２４０３０６号公報（第４図、第６図等）
【特許文献２】特開２００３−０８０７９３号公報（第６図、第９図、第１４図等）
【発明の開示】
【発明が解決しようとする課題】
【０００４】
従来のインクジェット記録装置では、フレキシブル配線基板がノズル列の延長方向に延びているので、複数色のインクに対応する各ノズル列がＩＣチップから等距離にある。記録ヘッドの駆動にともないＩＣチップが発熱すると、各色のノズルとも同じようにＩＣチップの熱の影響を受け、温度が低いときと、高いときとではノズルからのインクの吐出特性が変わる。イエローインク等の淡い色では、記録媒体上で着弾位置やドットの大きさが乱れても目立ちにくいが、濃い色例えばブラックインクでは、その乱れが目立ちやすいので、記録品質の低下となって表れる。
【０００５】
また、上述したインクジェット記録装置では、フレキシブル配線基板の横幅がノズル配列方向に対して略直交する方向にあり狭い。そのため、記録媒体への記録品質を高品質化するためにノズル数を増やす場合には、フレキシブル配線基板の横幅に形成される配線数がさらに増加して配線密度が高くなり、配線の形成が細密化して製造が困難となると共に製作コストが高くなるという問題点があった。
【０００６】
さらに、上述したインクジェット記録装置では、各インク色毎のノズル列の両端では、ＩＣチップからの距離の差が大きくなる。よって、ＩＣチップから各圧電アクチュエータに入力される信号が、フレキシブル配線基板上の配線抵抗の影響を受け、ノズル列の両端でのインクの吐出特性が変化して記録媒体への記録品質が低下するという問題点があった。
【０００７】
そこで本発明者は、フレキシブル配線基板の横幅を広くするために、ノズルの配列方向に対して略直交する方向にフレキシブル配線基板を延ばし、ＩＣチップを記録ヘッド近傍に配設する構造を考えたが、かかる場合、ＩＣチップからノズル列の両端までの距離の差が小さくなりフレキシブル配線基板の配線抵抗の影響は小さくなるが、ＩＣチップから各インク色毎のノズル列までの距離が変わり、各インク色毎にノズルからのインクの吐出特性が変化し、記録が乱れて記録品質が低下するという問題が生じた。
【０００８】
本発明は、上述した問題を解決するためになされたものであり、各インク色に対応するノズルを駆動回路からの熱の影響が目立ちにくくなるように配列して、高品質の記録を行うことができるインクジェット記録装置を提供することを目的としている。
【課題を解決するための手段】
【０００９】
この目的を達成するために請求項１記載のインクジェット記録装置は、記録媒体に複数色のインクを吐出して記録を行うためにインク色毎に第１の方向に列状に配列された複数のノズルを有する少なくとも１個の記録ヘッドを備えており、前記記録ヘッドから前記第１の方向に直交する第２の方向に延びる可撓性を有する少なくとも１個の配線部材と、その配線部材上に配設され、前記ノズルからインクを吐出させる駆動信号を出力する少なくとも１個の駆動回路とを備え、前記記録ヘッドのノズルの配列は、複数のインク色の内、濃いインク色に対応するノズル列が淡いインク色に対応するノズル列よりも前記駆動回路から離れた位置にある。
【００１０】
請求項２記載のインクジェット記録装置は、請求項１記載のインクジェット記録装置において、前記記録ヘッドのノズル列の配列は、複数のインク色の内、淡いインク色に対応するノズル列が前記駆動回路に近い位置にある。
【００１１】
請求項３記載のインクジェット記録装置は、請求項１又は２に記載のインクジェット記録装置において、前記記録ヘッドのノズル列の配列は、複数のインク色の内、濃いインク色に対応するノズル列ほど前記駆動回路より離れた位置にあり、淡いインク色に対応するノズル列ほど前記駆動回路に近い位置にある。
【００１２】
請求項４記載のインクジェット記録装置は、請求項１から３のいずれかに記載のインクジェット記録装置において、前記複数のインク色の内、インク色の濃淡が略同等となるインク色に対応するノズル列は、インクの吐出頻度が高いインク色に対応するノズル列が前記駆動回路より離れた位置に配列されている。
【００１３】
請求項５記載のインクジェット記録装置は、請求項１から４のいずれかに記載のインクジェット記録装置において、前記濃いインク色に対応するノズル数は、他の各インク色に対応するノズル数よりも多い。
【００１４】
請求項６記載のインクジェット記録装置は、記録媒体に複数色のインクを吐出するノズルを各インク色毎に群をなして配列した記録ヘッドと、前記記録ヘッドから、少なくとも２のインク色に対応する前記ノズル群の配列方向に延びる配線部材と、前記配線部材上に配設され、前記ノズルからインクを吐出させる駆動信号を出力する駆動回路とを備えており、前記駆動回路は、前記２のインク色に対応する前記ノズル群の内、淡いインク色に対応するノズル群よりも濃いインク色に対応するノズル群に対して離れて配設されている。
【００１５】
請求項７記載のインクジェット記録装置は、請求項１から６のいずれかに記載のインクジェット記録装置において、前記駆動回路と一部分が接触して配設され、その駆動回路が発する熱を熱伝導可能に構成されたヒートシンクを備えている。
【００１６】
請求項８記載のインクジェット記録装置は、請求項１から７のいずれかに記載のインクジェット記録装置において、前記記録ヘッドは、前記第２の方向に並んで２個備えられており、前記配線部材は、前記各記録ヘッドから互いに反対方向であって且つ前記第２の方向に延びて２個備えられ、前記駆動回路は、前記記録ヘッドの配列方向両側に配設され、また、前記濃いインク色に対応するノズル列が両記録ヘッドの互いに隣接する側縁寄りに配設されている。
【００１７】
請求項９記載のインクジェット記録装置は、請求項１から８のいずれかに記載のインクジェット記録装置において、前記複数のインク色の内、濃いインク色とはブラックインクである。
【発明の効果】
【００１８】
請求項１記載のインクジェット記録装置によれば、記録ヘッドは、インク色毎に第１の方向に列状に配列された複数のノズルを有している。その記録ヘッドからは、第１の方向に直交する第２の方向に可撓性を有する配線部材が延びており、その配線部材上には、ノズルからインクを吐出させるための駆動信号を出力する駆動回路が配設されている。よって、配線部材に形成される駆動回路から記録ヘッドへの配線をノズル列の長さに応じた幅内に形成できるので、配線部材を第１の方向に延ばした場合と比較して配線密度を低くでき、配線の形成が容易になると共に製作コストを低減することができるという効果がある。
【００１９】
また、記録ヘッドのノズルの配列は、複数のインク色の内、濃いインク色に対応するノズル列が淡いインク色に対応するノズル列よりも駆動回路から離れた位置にある。したがって、駆動回路が発熱しても濃いインク色のノズルは、熱の影響が少ないため記録の乱れが小さく、高品質の記録を行うことができるという効果がある。
【００２０】
請求項２記載のインクジェット記録装置によれば、請求項１記載のインクジェット記録装置の奏する効果に加え、記録ヘッドのノズル列の配列は、複数のインク色の内、淡いインク色に対応するノズル列が、駆動回路に近い位置にある。したがって、淡いインク色のノズル列は、駆動回路からの熱の影響を受けてノズルからの吐出特性が変化しても記録の乱れが目立ちにくいため高品質の記録を行うことができるという効果がある。
【００２１】
請求項３記載のインクジェット記録装置によれば、請求項１又は２に記載のインクジェット記録装置の奏する効果に加え、記録ヘッドのノズル列の配列は、複数のインク色の内、濃いインク色に対応するノズル列ほど駆動回路より離れた位置にあり、淡いインク色に対応するノズル列ほど駆動回路に近い位置にある。したがって、駆動回路が発熱しても濃いインク色ほど熱の影響が少なく記録の乱れを小さくでき、淡いインク色ほど熱の影響で記録が乱れても目立ちにくいので高品質の記録を行うことができるという効果がある。
【００２２】
請求項４記載のインクジェット記録装置によれば、請求項１から３のいずれかに記載のインクジェット記録装置の奏する効果に加え、複数のインク色の内、インク色の濃淡が略同等となるインク色に対応するノズル列は、インクの吐出頻度が高いインク色に対応するノズル列が駆動回路より離れた位置に配列されている。したがって、その吐出頻度が高いノズル列に対応する部分の記録ヘッド発熱と、駆動回路から記録ヘッドへの熱伝導とによる影響を小さくでき、高品質の記録を行うことができるという効果がある。
【００２３】
請求項５記載のインクジェット記録装置によれば、請求項１から４のいずれかに記載のインクジェット記録装置の奏する効果に加え、濃いインク色に対応するノズル数は、他の各インク色に対応するノズル数よりも多いので、濃いインク色の部分を乱れが少なく高速または高密度で記録することができるという効果がある。
【００２４】
請求項６記載のインクジェット記録装置によれば、記録ヘッドには、複数のインク色を吐出するノズルを各インク色毎に群をなして配列されている。配線部材は、そのノズル群の配列方向に延び、その配線部材上には、ノズルからインクを吐出させる駆動信号を出力する駆動回路が配設されている。その駆動回路は、淡いインク色に対応するノズル群よりも濃いインク色に対応するノズル群に対して離れて配設されている。よって、駆動回路から発する熱の影響は、濃いインク色のノズル群に対して小さくなるので、目立ちやすい濃いインク色のノズルからの吐出特性が変化することを抑え、高品質の記録を行うことができるという効果がある。
【００２５】
請求項７記載のインクジェット記録装置によれば、請求項１から６のいずれかに記載のインクジェット記録装置の奏する効果に加え、駆動回路には、その駆動回路の一部分と接触し、その駆動回路が発する熱を熱伝導可能に構成されたヒートシンクが備えられているので、駆動回路が発する熱を外部に放熱することができ、記録ヘッドに熱伝導することを低減することができるという効果がある。
【００２６】
請求項８記載のインクジェット記録装置によれば、請求項１から７のいずれかに記載のインクジェット記録装置の奏する効果に加え、記録ヘッドは、第２の方向に並んで２個備えられ、配線部材は、各記録ヘッドから互いに反対方向であって且つ第２の方向に延びて２個備えられ、駆動回路は、記録ヘッドの配列方向両側に配設され、また、濃いインク色に対応するノズル列が両記録ヘッドの互いに隣接する側縁寄りに配設されているので、駆動回路から濃いインク色に対応したノズル列は、最も遠い位置にあり、駆動回路からの熱の影響を小さくでき、ノズルからのインクの吐出特性が変化することを抑えるので、高品質の記録を行うことができるという効果がある。
【００２７】
請求項９記載のインクジェット記録装置によれば、請求項１から８のいずれかに記載のインクジェット記録装置の奏する効果に加え、複数のインク色の内、濃いインク色とはブラックインクであるので、文字などドキュメントを高品質に記録することができるという効果がある。
【発明を実施するための最良の形態】
【００２８】
以下、本発明の好ましい第１実施例について、添付図面を参照して説明する。図１は、本発明の第１実施例におけるインクジェット記録装置１と、そのインクジェット記録装置１に装着されるインクカートリッジ２とを示した概略図である。
【００２９】
インクジェット記録装置１は、インクカートリッジ２を着脱可能に装着する装着部３と、インクカートリッジ２からインク供給チューブ４を介して供給されるインクを貯留するインクタンク５と、そのインクタンク５に貯留されたインクを記録媒体６に向けて吐出する記録ヘッド７と、インクタンク５と記録ヘッド７とを備える記録ヘッドユニット８が搭載され直線方向に往復動作するキャリッジ９と、そのキャリッジ９が往復移動するガイドとなるキャリッジ軸１０と、記録媒体６を搬送する搬送機構１１と、パージ装置１２とを備えている。なお、本第１実施例の記録媒体６は、白色の用紙を用いるものとする。
【００３０】
インクカートリッジ２は、シアン、マゼンタ、イエロー、ブラック等の複数色のカラーインク毎に設けられ、インクジェット記録装置１に装着されてカラー印刷が可能に構成されている。
【００３１】
装着部３は、ベース部３ａと、そのベース部３ａの両側から立設するガイド部３ｂとから成り、ガイド部３ｂに挟まれたベース部３ａからは、インクカートリッジ２内に貯留されたインクを抽出する中空状のインク抽出管１３と、インクカートリッジ２内に外気を導入する中空状の外気導入管１４とが突出して配設されている。
【００３２】
このインク抽出管１３の一端側には、インク供給チューブ４が連結され、インク抽出管１３は、インク供給チューブ４を介してインクタンク５と連通されている。外気導入管１４の一端側には、外気導入チューブ１５が連結され、外気導入管１４は、外気導入チューブ１５を介して外気と連通されている。
【００３３】
パージ装置１２は、記録範囲外であって記録ヘッド７に対向するように配置されており、記録ヘッド７のノズル１６（図３参照）形成面を覆うパージキャップ１２ａと、パージキャップ１２ａと連通する廃インクチューブ１２ｂと、廃インクチューブ１２ｂを介してノズル１６からインクを吸引するポンプ１２ｃとを備えている。
【００３４】
次に、図２〜図５を参照して、記録ヘッドユニット８の構造を説明する。図２は断面図であり、図３は下面図であり、図４は、記録ヘッド７ａ及びフレキシブル配線基板７ａの分解斜視図であり、図５は、図２のＩＩＩ−ＩＩＩ断面線図である。
【００３５】
記録ヘッドユニット８は、上述したようにインクタンク５及び記録ヘッド７を備えており、そのインクタンク５を内側に配置すると共に記録ヘッド７を支持するヘッドホルダ２０と、そのヘッドホルダ２０の上部に位置しインクジェット記録装置１の本体側に静置された制御回路とフレキシブルケーブルを介して接続されるプリント基板２１とをさらに備えている。
【００３６】
記録ヘッド７は、ヘッドホルダ２０の記録媒体６と対向する底部に２個７ａ，７ｂ支持されている。記録ヘッド７ａ，７ｂの下面（図３参照）には、記録媒体６に複数色のインクを吐出して記録を行うためのノズル１６が、その複数色のインク色に対応して列状に配列されている。記録ヘッド７ａ，７ｂは各ノズル列が互いに略平行となるように、ノズル列の方向（以後、第１の方向と称す）と略直交する第２の方向に並んで支持されている。
【００３７】
各記録ヘッド７ａ，７ｂごとに、イエローインク用のノズル列となるノズル１６ｙ１，１６ｙ２、シアンインク用のノズル列となるノズル１６ｃ１，１６ｃ２、マゼンタインク用のノズル列となるノズル１６ｍ１，１６ｍ２及びブラックインク用のノズル列となるノズル１６ｋ１，１６ｋ２が１列（１群）ずつ配置され、また各記録ヘッドのブラックインク用のノズル１６ｋ１，１６ｋ２が相互に隣接し、そこから離れるにしたがってより淡い色となるようにマゼンタインク、シアンインク及びイエローインク用の各ノズルがその順に配置されている。なお、２個の記録ヘッドの同色のノズルは、キャリッジ９の走査方向に同一線上に配置してもよいが、ノズル列方向に半ピッチずらせて配置しても良い。
【００３８】
一般に、記録媒体６は白色あるいは淡い（明度が高い）色の用紙であるため、複数のインク色の内で濃いインク色とは、ノズル１６ｋ１，１６ｋ２から吐出されるブラックインクであり、最も淡いインク色とは、ノズル１６ｙ１，１６ｙ２から吐出されるイエローインクである。
【００３９】
インクタンク５は、各インクの色に応じて、シアンインク用の２つのインクタンク５ｃ１，５ｃ２、イエローインク用の２つのインクタンク５ｙ１，５ｙ２、マゼンタインク用の２つのインクタンク５ｍ１，５ｍ２及びブラックインク用のインクタンク５ｋから成る。各インクタンクは、管３１ｙ１，３１ｙ２，３１ｃ１，３１ｃ２，３１ｍ１，３１ｍ２，３１ｋ１，３１ｋ２によって記録ヘッド７ａ，７ｂの後述するインク供給口３０ｙ１，３０ｙ２，３０ｃ１，３０ｃ２，３０ｍ１，３０ｍ２，３０ｋ１，３０ｋ２に接続される。
【００４０】
ヘッドホルダ２０は、上下に立ち上がった一対の側壁２０ｂ及び一対の側壁２０ｃ（図３参照）とにより略箱状に形成され、その内部に、記録ヘッド７ａ，７ｂが配置される空間２２とインクタンク５が配置される空間２３とを区画する底壁２０ａを有する。
【００４１】
ヘッドホルダ２０の開放された下面には、空間２２を閉塞すると共に、各ノズル１６を外部に露出する露出口が形成された閉塞部材２４が固着されている。記録ヘッド７ａ，７ｂは、底壁２０ａの下面に接着剤（図示せず）によって固着されている。
【００４２】
各記録ヘッド７ａ，７ｂは、それぞれ複数のプレートを積層して形成されるキャビティプレート２５ａ，２５ｂと、プレート型の圧電アクチュエータプレート２６ａ，２６ｂとにより構成されている。キャビティプレート２５ａ，２５ｂは、上面にインク供給口３０ｙ１，３０ｙ２，３０ｃ１，３０ｃ２，３０ｍ１，３０ｍ２，３０ｋ１，３０ｋ２（記録ヘッド７ａについてのみ図４で図示）を有し、特開２００２−２４０３０６号公報に記載されまた公知のものと同様に、その各インク供給口から延びるマニホールド流路を介して複数の圧力室にインクが分配され、各圧力室から対応する各ノズル１６ｙ１，１６ｃ１，１６ｍ１，１６ｋ１，１６ｙ２，１６ｃ２，１６ｍ２，１６ｋ２に至る構成である。圧電アクチュエータプレート２６ａ，２６ｂは、上記各圧力室と対応する複数の圧力発生手段すなわち圧電変形部を有し、その上面に各圧電変形部に接続された電極４１ｙ１，４１ｃ１，４１ｍ１，４１ｋ１，４１ｙ２，４１ｃ２，４１ｍ２，４１ｋ２（記録ヘッド７ａについてのみ図４で図示）を有する。
【００４３】
各圧電アクチュエータプレート２６ａ，２６ｂの上面には、可撓性を有するフレキシブル配線基板２７ａ，２７ｂがそれぞれ積層され、各電極には、各フレキシブル配線基板２７ａ，２７ｂに搭載された駆動回路を内装するＩＣチップ３３ａ，３３ｂから延びる配線パターン（図示せず）が接続されている。ＩＣチップ３３ａ，３３ｂから圧電アクチュエータプレート２６ａ，２６ｂの各圧電変形部に駆動パルス（駆動信号）が供給（出力）されると、上記圧力室内のインクに圧力が付与され、ノズルからインクを下向きに吐出することができる。
【００４４】
フレキシブル配線基板２７ａは、図４に示すように、電極４１ｙ１，４１ｃ１，４１ｍ１，４１ｋ１の列方向すなわちノズル列方向に幅を有し、フレキシブル配線基板２７ａ，２７ｂは、２つの記録ヘッド７ａ，７ｂから互いに反対方向であってかつ第２の方向に延びている。フレキシブル配線基板２７ａ，２７ｂは、底壁２０ａに形成される連通路２８ａ，２８ｂを通って上部の空間２３に入り、２個の記録ヘッド７ａ，７ｂの配列方向両側の側壁２０ｂと略平行にヘッドホルダ２０上方に延びて配設されている。そしてフレキシブル配線基板２７ａ，２７ｂの先端の端子部４３ａは、それぞれヘッドホルダ２０の上部に配置されたプリント基板２１にコネクタ３２ａ，３２ｂにより接続される。
【００４５】
底壁２０ａの記録ヘッド７ａ，７ｂの配列方向両側（連通孔２８ａ，２８ｂの外方両側）には、ゴム状弾性部材３６ａ，３６ｂが固着され、その上方にフレキシブル配線基板２７ａ，２７ｂを挟んでＩＣチップ３３ａ，３３ｂが配設されている。そのＩＣチップ３３ａ，３３ｂは、ゴム状弾性部材３６ａ，３６ｂによってヒートシンク３５ａ，３５ｂに熱伝導可能に接触するように押圧されている。
【００４６】
図３に示すように、ＩＣチップ３３ａ，３３ｂからの各ノズルの距離は、ブラックインク用のノズル１６ｋ１，１６ｋ２が最も遠く、イエローインク用のノズル１６ｙ１，１６ｙ２が最も近い。即ち、ブラックインク用のノズル１６ｋ１，１６ｋ２が、イエローインク用のノズル１６ｙ１，１６ｙ２よりもそれぞれのＩＣチップ３３ａ，３３ｂから離れた位置にある。また、ＩＣチップ３３ａ，３３ｂを基準に、それぞれ、ノズル１６ｙ１，１６ｙ２、ノズル１６ｃ１，１６ｃ２、ノズル１６ｍ１，１６ｍ２、ノズル１６ｋ１，１６ｋ２の順番で配列され、濃いインク色に対応するノズル列ほど遠くに配列され淡いインク色に対応するノズルほど近い位置に配列されている。
【００４７】
なお、マゼンタインクとシアンインクとは、そのインク色の濃淡が略同等である場合、吐出頻度が高いマゼンタインク用のノズル１６ｍ１，１６ｍ２の方がシアンインク用のノズル１６ｃ１，１６ｃ２よりもＩＣチップ３３ａ，３３ｂから離れた位置に配列されている。これは、圧電アクチュエータが連続的に駆動するとその圧電アクチュエータ自体も発熱し、ノズルからのインクの吐出特性が変化してまうので、ＩＣチップ３３ａ，３３ｂからの熱の影響をより小さくするためである。
【００４８】
ヒートシンク３５ａ，３５ｂは、ＩＣチップ３３ａ，３３ｂと熱伝導可能に接触してそのＩＣチップ３３ａ，３３ｂが発する熱を外部に放熱するものである。ヒートシンク３５ａ，３５ｂは、図２に示すように、２個の記録ヘッド７ａ，７ｂの配列方向両側の側壁２０ｂ，２０ｂの内側に、その側壁２０ｂ，２０ｂと間隔を置いて平行に配置される側壁部３７ａ，３７ｂと、各側壁部３７ａ，３７ｂの上端を延長して側壁２０ｂ，２０ｂの上部を逆Ｕ字状に越えヘッドホルダ２０の外方に露出する露出部３８ａ，３８ｂとを備えている。
【００４９】
図５に示すように、ヒートシンク３５ａ，３５ｂの露出部３８ａの湾曲した部分には、フレキシブル配線基板２７ａを記録ヘッド７ａ側からプリント基板２１（図２参照）側に通す貫通孔３９ａが形成されている。ヒートシンク３５ａ，３５ｂは、底壁２０ａに突出した２つの取付ボス３４によって固着され、ヘッドホルダ２０内に取り付けられている。
【００５０】
以上、説明したように、上記インクジェット記録装置１によれば、４色のインク色に対応するノズルの内、ブラックインク用のノズル１６ｋ１，１６ｋ２がＩＣチップ３３ａ，３３ｂから最も離れた位置に配列され、イエローインク用のノズル１６ｙ１，１６ｙ２が最も近い位置に配列されている。ＩＣチップ３３ａ，３３ｂと圧電アクチュエータとの間の配線抵抗を小さくするために、ＩＣチップ３３ａ，３３ｂを各記録ヘッド７ａ，７ｂに近づけて配置すると、記録ヘッドの駆動にともなうＩＣチップの発熱が、記録ヘッドに影響を与える。その熱の影響を受けやすいノズル１６ｙ１，１６ｙ２から吐出されるイエローインクは、記録媒体上で目立ちにくいため、着弾位置やドット径などの記録の乱れが発生してもその乱れが目立ちにくい。一方、目立ちやすいブラックインクは、熱の影響を受けにくいノズル１６ｋ１，１６ｋ２から吐出されるため、記録が乱れることが少ない。また、他の色のインクにおいても、淡い色ほどノズルをＩＣチップ３３ａ，３３ｂに近く配置することで、熱の影響による記録の乱れを目立ちにくくすることができる。したがって、高品質の記録を行うことができる。
【００５１】
次に、図６を参照して、第２実施例の記録ヘッドユニット８のノズル列の配列状態を説明する。図６は、第２実施例の記録ヘッドユニット８の下面図である。なお、第１実施例と同一の部分には同一の符号を付して、その説明は省略する。
【００５２】
第２実施例の記録ヘッドユニット８のノズル列の配列は、第１実施例とほぼ同様であるが、各記録ヘッド７ａ，７ｂに、ブラックインク用のノズル１１６ｋ１１，１１６ｋ１２，１１６ｋ２１，１１６ｋ２２がそれぞれ２列千鳥格子状に配列され、その列からＩＣチップ３３ａ，３３ｂに近づく方向にマゼンタ、シアン及びイエローの各インク用のノズル１１６ｍ１，１１６ｍ２，１１６ｃ１，１１６ｃ２，１１６ｙ１，１１６ｙ２がそれぞれ１列に配列されている。
【００５３】
濃いインク色であるブラックインク用のノズル１１６ｋ１１，１１６ｋ１２，１１６ｋ２１，１１６ｋ２２は、その他のインク色用のノズルと比較して列方向に１／２のピッチで２倍の数形成され、文字等のドキュメントを記録する場合、高密度な記録を高速で行うことができる。
【００５４】
ここで、図７を参照して、第３実施例のインクジェット記録装置について説明する。図７は、第３実施例の記録ヘッド２０７を模式的に示した図である。
【００５５】
第３実施例の記録ヘッド２０７は、４列のノズルを有し、その列の延長方向にフレキシブル配線基板（配線部材）２２７が延び、そのフレキシブル配線基板２２７にＩＣチップ２３３が搭載されている。この実施例においてノズルは、ノズルの列方向に４つの群Ａ，Ｂ，Ｃ，Ｄに分けられ、その列と直交する方向には４列にわたって同群に属するようにされている。具体的には、ＩＣチップ２３３から最も離れた位置から近い方向に、ノズル群Ａとしてブラックインク用のノズル２１６ｋ、ノズル群Ｂとしてマゼンタインク用のノズル２１６ｍ、ノズル群Ｃとしてシアンインク用のノズル２１６ｃ、ノズル群Ｄとしてイエローインク用のノズル２１６ｙとなる。即ち、ＩＣチップ２３３は、淡いインク色に対応するノズル群Ｄよりも濃いインク色に対応するノズル群Ａに対して離れた位置に配設されている。
【００５６】
よって、前記各実施例と同様に、ＩＣチップ２３３が発する熱の影響で、淡い色のインクの記録が乱れても目立ちにくく、また濃い色のインクはその熱の影響が少なく、記録の乱れが生じにくくなり、高品質な記録を行うことができる。
【００５７】
なお、図示しないが、第３実施例の記録ヘッド２０７は、ヘッドホルダに接着剤（図示せず）によって接着して搭載されており、そのヘッドホルダの各インク色に対応するノズルの上方には、そのインク色に対応したインクタンクが配設されている。インクタンクから記録ヘッド２０７のインクの供給は、各インク色に対応した管を通り、記録ヘッド２０７に形成された各インク供給口を介して供給される。各インク供給口から供給されたインクは、各インク供給口から延びるマニホールド流路を介して複数の圧力室にインクが分配され、各圧力室から対応する各ノズル２１６ｙ，２１６ｃ，２１６ｍ，２１６ｋに至る構成である。
【００５８】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００５９】
例えば、インク色は４色に限らず、多数のインク色に応じて多数のノズル列あるいは群を設けることができる。
【００６０】
また、上記第１及び第２実施例では、記録ヘッド７ａ，７ｂを２個で構成するものとしたが、１個の記録ヘッドで構成するインクジェット記録装置としても良いし、３個以上の記録ヘッドで構成されるインクジェット記録装置としても良い。また、第３実施例では、記録ヘッド２０７を１個としたが、２個以上の記録ヘッド２０７を備えるインクジェット記録装置とするものとしても良い。
【図面の簡単な説明】
【００６１】
【図１】本発明の実施例におけるインクジェット記録装置の概略図である。
【図２】記録ヘッドユニットの構造を示す断面図である。
【図３】記録ヘッドユニットの下面図である。
【図４】記録ヘッド及びフレキシブル配線基板の分解斜視図である。
【図５】図２のＩＩＩ−ＩＩＩ断面線図である。
【図６】第２実施例の記録ヘッドユニットの下面図である。
【図７】第３実施例の記録ヘッドの下面図である。
【符号の説明】
【００６２】
７ａ，７ｂ，２０７                                      記録ヘッド
９                                                      キャリッジ
１６ｙ１，１６ｙ２                                      ノズル
１６ｃ１，１６ｃ２                                      ノズル
１６ｍ１，１６ｍ２                                      ノズル
１６ｋ１，１６ｋ２                                      ノズル
２０                                                    ヘッドホルダ
２１                                                    プリント基板
２７ａ，２７ｂ                                          フレキシブル配線基板（配線部材）
３３ａ，３３ｂ                                          ＩＣチップ（駆動回路）
３５ａ，３５ｂ                                          ヒートシンク
１１６ｙ１，１１６ｙ２                                  ノズル
１１６ｃ１，１１６ｃ２                                  ノズル
１１６ｍ１，１１６ｍ２                                  ノズル
１１６ｋ１１，１１６ｋ１２，１１６ｋ２１，１１６ｋ２２  ノズル
２１６ｙ，２１６ｃ，２１６ｍ，２１６ｋ                  ノズル
Ａ，Ｂ，Ｃ，Ｄ                                          ノズル群
【図１】
2005193579.tif 000003
【図２】
2005193579.tif 000004
【図３】
2005193579.tif 000005
【図４】
2005193579.tif 000006
【図５】
2005193579.tif 000007
【図６】
2005193579.tif 000008
【図７】
2005193579.tif 000009